(57)【特許請求の範囲】
【請求項１】
内容物を密封包装するために用いられ、材料の一部に紙が用いられた包装容器であって、
底部と、
前記底部の剛性より高い剛性を有する筒形状の側面部とを備え、
前記底部の外面部には、前記底部の中央部からみて放射状に複数の罫線が設けられており、
前記底部の外縁部および前記側面部の下端部は、
当該側面部の下端部が内方に折り返されて前記底部の外縁部を挟んだ状態で、重なり合い、
当該重なり合う領域のうち、折り返し位置から所定の高さまでの領域がシールされ、これより上方の領域がシールされない未シール部が設けられている、包装容器。
【請求項２】
前記底部は、前記包装容器の外側に向かって膨らみが形成されている、請求項１に記載の包装容器。
【請求項３】
前記罫線は、等間隔に設けられている、請求項１または２に記載の包装容器。
【請求項４】
前記罫線の長さは、５ｍｍ以上１００ｍｍ未満である、請求項１から３のいずれかに記載の包装容器。
【請求項５】
前記罫線は、６本以上３０本未満の本数である、請求項１から４のいずれかに記載の包装容器。
【請求項６】
前記底部は、前記包装容器の内側から外側の向きに、ポリエチレン層、蒸着フィルム、気体遮断性機能樹脂層、ポリエチレン層、紙、及びポリエチレン層がこの順で積層された材料からなる、請求項１から５のいずれかに記載の包装容器。
【請求項７】
前記側面部は、前記包装容器の内側から外側の向きに、ポリエチレン層、蒸着フィルム、ポリエチレンテレフタレート層、紙、及びポリエチレン層がこの順で積層された材料からなる、請求項１から６のいずれかに記載の包装容器。
【請求項８】
材料の一部に紙が用いられた底板の一方の面において、中央部からみて放射状に複数の罫線を設ける工程と、
前記罫線が設けられた前記底板を、前記罫線が設けられた面が外側に位置するように、前記底板の剛性より高い剛性を有し材料の一部に紙が用いられた筒形状の側面部の下端側に固定する工程とを含み、
前記底板を前記側面部の下端側に固定する工程が、
前記側面部の下端部を、当該側面部の下端部を内方に折り返して、前記底板の外縁部を挟んで重ね合わせ、
当該重ね合わせた領域のうち、折り返し位置から所定の高さまでの領域をシールし、これより上方の領域をシールしない工程を含む、包装容器の製造方法。
【請求項９】
前記底板が固定された前記側面部の上端の開口を一部を残して覆う工程と
前記開口の一部から前記底板と前記側面部とで構成される空間に空気を吹き込むことにより前記底板の前記中央部を膨らませる工程とをさらに含む、請求項８に記載の、包装容器の製造方法。
【請求項１０】
前記底板の前記中央部を膨らませる工程の前に、前記底部を５０℃以上８０℃に加熱する工程をさらに含む、請求項９に記載の包装容器の製造方法。
【請求項１１】
前記側面部の上端の開口を一部を残して覆う工程において、前記開口の中心部を残して前記開口を覆う、請求項９または１０に記載の包装容器の製造方法。
【請求項１２】
前記空間に空気を吹き込む際、１ＭＰａ以上１０ＭＰａの圧力で０．０２秒以上１０秒以下の時間空気を吹き込む、請求項９から１１のいずれかに記載の包装容器の製造方法。
【発明の詳細な説明】
【技術分野】
【０００１】
本発明は、内容物を密封包装するための包装容器及びその製造方法に関する。
【背景技術】
【０００２】
インスタントコーヒーや粉末ミルク等の粉体又は粒状物やといった内容物を密封包装するために、開口部が封止されたカップ容器や、紙製飲料容器等の、材料の一部に紙が用いられた包装容器が用いられている。
【０００３】
包装容器には、内容物の保存等の観点から、高い気密性が要求される。したがって、包装容器には、アルミニウム箔やガスバリアフィルムを設けて、空気や水蒸気に対するバリア機能が付与されていることが多い。
【０００４】
内容物を充填包装した包装容器は、流通過程において包装容器の内部と外部との間に気圧差が生じる環境に晒されることがある。例えば、気温が高い夏に内容物が充填包装された包装容器が気温が低い冬の店頭に置かれた場合等は、包装容器の内部の気圧が外部の気圧より相対的に低下し、包装容器の側面部が包装容器の内側に凹み、包装容器の意匠性が損なわれるという問題が生じることがある。また、平地など比較的標高の低い場所で内容物が充填包装された包装容器が流通して標高の高い場所に置かれた場合等は、包装容器の内部の気圧が外部の気圧より相対的に増加し、包装容器の側面部が包装容器の外側に膨らみ、包装容器の意匠性が損なわれるとともに、少しの衝撃により破裂するなどして内容物が噴出するという問題が生じることがある。その問題を解決するために、容器の側面部を構成する積層材を部分的に剥離可能にし、特に内圧が低下したときに積層材の内層が剥離して容器の内側に膨らむようにすることで、容器内部の圧力低下を軽減し、容器の側面部の凹みを防止した容器が提案されている（例えば、特許文献１参照）。
【先行技術文献】
【特許文献】
【０００５】
【特許文献１】特開２０１１−９３６１４号公報
【発明の概要】
【発明が解決しようとする課題】
【０００６】
本発明は、内圧が外圧に対して変化しても、外観等の意匠性を損なわない包装容器を提供することを目的とする。特に、容器の側面部および底部の意匠性を損なわない包装容器を提供することを目的とする。
【課題を解決するための手段】
【０００７】
本発明のある態様の包装容器は、内容物を密封包装するために用いられ、材料の一部に紙が用いられた包装容器であって、底部と、底部の剛性より高い剛性を有する筒形状の側面部とを有し、底部の外面部には、底部の中央部からみて放射状に複数の罫線が設けられている。また、底部に包装容器の外側に向かって膨らみが形成されていることが好ましい。また、側面部の内方に折り返された下端部において、底部の外縁部を挟んだ状態で重なり合う領域のうち、折り返し位置から所定の高さまでの領域がシールされ、これより上方の領域がシールされない未シール部が設けられている。
【０００８】
本発明のある態様の包装容器の製造方法は、材料の一部に紙が用いられた底板の一方の面において、中央部からみて放射状に複数の罫線を設ける工程と、罫線が設けられた底板を、罫線が設けられた面がより外側に位置するように、底板の剛性より高い剛性を有し材料の一部に紙が用いられた筒形状の側面部の下端側に固定する工程とを含む。底板を側面部の下端側に固定する工程が、側面部の下端部を、当該側面部の下端部を内方に折り返して、底板の外縁部を挟んで重ね合わせ、当該重ね合わせた領域のうち、折り返し位置から所定の高さまでの領域をシールし、これより上方の領域をシールしない工程を含む。
【発明の効果】
【０００９】
本発明によれば、内圧が外圧に対して相対的に変化しても、意匠性を損なわない包装容器を提供することができる。また、包装容器の底部の剛性を側面部の剛性よりも低くし、かつ底部の中央部からみて放射状に複数の罫線を設けることで、さらに底部の剛性が低くなるように形成されているので、包装容器の内圧が外圧に対して相対的に変化しても、底部が膨出したり凹んだりして圧力変化を低減することができ、包装容器の外観等の意匠性が損なわれることはない。特に、底部の中央部を包装容器の外側に予め膨出させておくことで、内容物を充填包装した包装容器の内圧が外圧に対して相対的に下がっても、剛性が相対的に低い底部が包装容器の内側に凹むことで容器内部の圧力低下を低減するので、包装容器の側面部等が凹むことはなく、側面部など外観等の意匠性が損なわれることはない。また、底部を形成する底材の外縁部となる固定部の上端に未シール部を設けておくことで、底部が内側に凹む際に底部の外縁近傍に応力が集中するが防止され、外縁近傍に皺が発生することはなく、底部の意匠性が損なわれることもない。
【図面の簡単な説明】
【００１０】
【図１】本発明の実施形態に係る包装容器の斜視図
【図２】本発明の実施形態に係る包装容器の概略断面図
【図３】本発明の実施形態に係る包装容器の底部を包装容器の外側から見たときの外面図
【図４】本発明の実施形態の第１の変形例に係る包装容器の底部を包装容器の外側から見たときの外面図
【図５】本発明の実施形態の第２の変形例に係る包装容器の底部を包装容器の外側から見たときの外面図
【図６】本発明の実施形態の第３の変形例に係る包装容器の底部を包装容器の外側から見たときの外面図
【図７】本発明の実施形態に係る包装容器の底部近傍の概略断面図
【図８】本発明の実施形態に係る包装容器の側面部の層構成を示す図
【図９】本発明の実施形態に係る包装容器の底部の層構成を示す図
【図１０】本発明が解決する課題に係る包装容器の底部に生じる皺を示す図
【図１１】本発明の実施形態に係る包装容器の製造方法を示す図
【図１２】本発明の実施形態に係る包装容器の製造方法において吹き込む空気の圧力と吹き込み時間との関係を示す図
【発明を実施するための形態】
【００１１】
（実施形態）
まず、本発明に係る包装容器について説明する。図１は本発明の一実施形態に係る包装容器１の斜視図であり、図２は図１のＡ−Ａ´線における包装容器１の概略断面図である。図１及び２を用いて、本実施形態に係る包装容器１の概要を説明する。図１及び２に示すように、包装容器１は筒形状の側面部１１と円形状の底部１２とを有している。
【００１２】
側面部１１の形状は円筒形状であって、側面部１１の高さは例えば１８０ｍｍであり、側面部１１の外径は例えば９５ｍｍである。底部１２は、側面部１１の下端側に設けられている。例えば、底部１２は、側面部１１の下端から上端側へある距離だけ離れた高さに設けられている。より具体的には、底部１２は側面部１１の下端から上端側へ８ｍｍだけ離れた高さに設けられている。底部１２の外縁は、側面部１１の内側面と接続している。図２では、包装容器１の上方に開口が設けられているが、従来の包装容器と同様に、包装容器１の内部に内容物が収められると開口は封止され、それにより包装容器１の内部は密封される。図２の（ａ）に示す例では、底部１２は平坦な面を構成する。図２の（ｂ）に示す例では、底部１２の中央部は、包装容器１の外側に膨らんでいる
【００１３】
図３は、図２の底部１２を包装容器１の外側から見たときの外面図である。図３の（ａ）に示す例においては、底部１２の外面に、底部１２の中央部からみて放射状に、１２本の罫線１２０１が等間隔に設けられている。この例では、全ての罫線１２０１の長さは２２ｍｍである。また、図３の（ｂ）に示す例においては、底部１２の外面に、底部１２の中央部からみて放射状に、２４本の罫線１２０１が等間隔に設けられている。この例では、全ての罫線１２０１の長さは１２ｍｍである。なお図３において、円の内部の実線部分が罫線である。また、罫線の本数は、底部１２の中央部からみて放射状に形成された罫線のそれぞれを１本と数える。すなわち、底部１２の中心に関して点対称に形成された罫線の組は、２本と数える。
【００１４】
なお、罫線１２０１の本数や長さは図３に示す例に限られない。他の例として、第１および第２の変形例をそれぞれ図４および図５に示す。図４は、長さが３０ｍｍの１２本の罫線１２０１を設けた底部１２の外面図である。また、図５は、長さが１２ｍｍである８本の罫線１２０１と、長さが２２ｍｍである８本の罫線１２０１とを等間隔に交互に設けた底部１２の外面図である。また、罫線は等間隔に設けられなくてもよい。
【００１５】
罫線１２０１の長さは５ｍｍ以上１００ｍｍ未満であればよく、罫線１２０１の本数は６本以上３０本未満であればよい。罫線１２０１の長さがこれより短い、または、罫線１２０１の本数がこれより少ないと、皺が発生しやすくなる。また、罫線１２０１の長さがこれより長い、または、罫線１２０１の本数がこれより多いと、底部１２の剛性が低くなりすぎ、包装容器としての強度が低下する。罫線１２０１の本数が６本以上２５本未満であれば、特に好適である。
【００１６】
また、第３の変形例として図６に示すように、底部１２の外面部には、１２本の罫線１２０１とともに、底部１２の中央部を中心として１２本の罫線１２０１と交差する円状の罫線１２０２が設けられていてもよい。
【００１７】
また、上述した各例では、罫線１２０１は底部１２の中央部には形成されない。しかしながら、罫線１２０１は底部１２の中央部を通ってもよい。
【００１８】
また、上述した例では、底部１２は円形状である。しかしながら、底部１２の形状は例えば正四角形や正六角形等の上下の平面が多角形の形状であってもよい。このように、底部１２の形状は特定の形状に限定されない。側面部１１は、その内側が底部１２の外縁と接続されていればよい。
【００１９】
図７の（ａ）は、図２の（ａ）に示す包装容器１の底部１２近傍の概略断面図である。図２の（ａ）に示す例では、底部１２は膨らみがなく平坦な面を構成し、罫線１２０１（あるいはさらに罫線１２０２）が形成されているのみである。また、図７の（ｂ）は、図２の（ｂ）に示す包装容器１の底部１２近傍の概略断面図である。図２の（ｂ）及び図７の（ｂ）に示す例では、底部１２の中央部は底部１２の外縁の高さを基準にして包装容器１の外側に５ｍｍ膨らんでいる。なお、図２及び図７に示すように、側面部１１の下端は内側に折り曲げられており、かつ底部１２の実質的な外縁の外側には折り曲げることが可能な平面形状の固定部が設けられている。その固定部を折り曲げられた側面部１１が作る隙間に挿入し、その後固定部と側面部１１とを接着することにより、底部１２は側面部１１に固定されている。
【００２０】
図７の（ｃ）は、包装容器１の底部１２近傍の変形例を示す概略断面図である。図７の（ｃ）に示す例では、底部１２の外縁の固定部とこれを挟む側面部１１を、包装容器１の下端を構成する側面部１１の折り曲げ箇所から所定の高さまで接着して包装容器１の密封性を確保し、その上部には、接着を行わない未シール部１３０を設けている。この例では、底部１２の中央部は包装容器１の外側に膨らむにつれて、底部１２の外縁の固定部の未シール部１３０が、内側に変位するため、底部１２を膨らませることが容易となり、後述する外観不良をもたらす皺の発生をより抑制しつつ膨出量を増やすことができる。底部１２の外縁の固定部と、側面部１１とが重なる領域において、接着される領域の高さは、１ｍｍ〜１５ｍｍであることが好ましく、とくに、２〜５ｍｍとすることが特に好ましい。また、未シール部１３０の高さは１ｍｍ〜８ｍｍであることが好ましい。未シール部１３０の高さを１ｍｍ以下とすると外観不良をもたらす皺を抑制する効果が小さくなり、８ｍｍ以上とすると包装容器１の材料コスト、生産効率が悪化する。
【００２１】
図８は、図１及び２の側面部１１の層構成を示す図である。図８に示すように、側面部１１は、包装容器１の内側から外側の向きに、ポリエチレン層１１１、蒸着フィルム１１２、ポリエチレンテレフタレート層１１３、紙１１４、及びポリエチレン層１１５がこの順で積層されている。側面部１１は、上述の通り樹脂層、フィルム及び紙により構成されているので、剛性を有しており、厚み方向等においてある程度変形可能である。
【００２２】
図９は、図２及び図７の底部１２の層構成を示す図である。図９に示すように、底部１２は、包装容器１の内側から外側の向きに、ポリエチレン層１２１、蒸着フィルム１２２、気体遮断性機能樹脂層１２３、ポリエチレン層１２４、紙１２５、及びポリエチレン層１２６がこの順で積層されている。上記気体遮断性機能樹脂層は、例えばエチレンビニルアルコール共重合体の樹脂層である。底部１２は、上述の通り樹脂層、フィルム及び紙により構成されているので、剛性を有しており、厚み方向等においてある程度変形可能である。
【００２３】
図２の（ｂ）及び図７の（ｂ）、（ｃ）に示す例において、底部１２に膨らみを形成する際、底部１２の外縁近傍に発生する応力が、罫線１２０１の幅が押し縮められることにより緩和されるとともに、底部１２の全体に分散する。また、罫線１２０１を設けることにより、罫線１２０１に沿う形で皺が生じるなどして、皺が吸収されて目立たなくなる。このことにより、底部１２の皺の発生が抑制されるため、包装容器１の意匠性を損なうことが防止されるとともに、底部１２を十分に膨らませることが可能となる。これに対して、罫線１２０１を設けない場合は、底部の外縁近傍に応力が集中するため、図１０に示す底部１０００のように皺１００１が生じ、意匠性を損なうとともに、膨らみが不十分となってしまう。なお、より確実に皺の発生を抑制するため、図７の（ｃ）に示すように未シール部１３０を設けてもよい。また、図６に示す底部１２においては、罫線１２０１に加え、円状の罫線１２０２によっても、応力が緩和され、また、皺が吸収される。
【００２４】
また、底部１２の剛性は側面部１１の剛性より低いため、包装容器１の外部の気圧が内部の気圧より相対的に高い環境に置かれた場合であっても、底部１２の膨らみが小さくなり、あるいは、さらに底部１２が包装容器１の内側に凹むことにより、気圧差を吸収する一方、外観が目立ちやすい側面部１１は変形しないため、包装容器１の意匠性が損なわれることがない。一例として、包装容器１の内部にインスタントコーヒーの粉体物を３０℃で充填した後に開口を封止し、包装容器１を０℃の環境に放置した。すなわち、内容物が収められた包装容器１を、包装容器１の外部の気圧が内部の気圧より相対的に高い環境に放置した。その場合、底部１２の膨らみが小さくなり、外観が目立ちやすい側面部１１は変形しなかった。すなわち、包装容器１全体の意匠性は損なわれなかった。
【００２５】
このように、図２の（ｂ）及び図７の（ｂ）、（ｃ）に示す例では、包装容器１の内部の気圧が外部の気圧より相対的に低下する場合に気圧差を吸収するために、底部１２を包装容器の外側に予め膨らませておく。しかし、図２の（ａ）及び図７の（ａ）に示すように底部１２に予め膨らみを形成しないようにしておけば、例えば、標高の低い場所で内容物が包装された包装容器が流通して標高の高い場所に置かれた場合等、包装容器の内部の気圧が外部の気圧より相対的に高くなった場合に底部１２が皺を生ずることなく包装容器の外側に膨らんで気圧差を吸収し、側面部１１の膨らみを抑制するため、包装容器の意匠性を損なわずに、気圧差を吸収することができる。
【００２６】
次に、本実施形態に係る包装容器１の製造方法を説明する。図１１は、包装容器１の製造方法を説明するための図である。図１１に示すように、本発明に係る包装容器１の製造方法では、筒形状の製造用受け具２を用いる。製造用受け具２は高い剛性を有する容器であって、例えばアルミニウム又は樹脂等により形成されている。製造用受け具２は、筒形状の側面部２１と、円形状の底部２２と、中心部に孔２３ａが設けられている蓋２３とを有する。底部２２は、側面部２１の下端に固定されている。蓋２３は、側面部２１の上端の開口を覆うことができるように、側面部２１の上端に取り外し可能に構成されている。
【００２７】
製造用受け具２の側面部２１の内径は例えば９７ｍｍであり、側面部２１の高さは例えば１８０ｍｍである。上述の通り、包装容器１を製造する際に製造用受け具２を用いるが、製造用受け具２を用いる前に以下に示すステップを実行する。すなわち、後に包装容器１の底部１２となる底材１２ａの一方の平面に、図３〜図６に示すような罫線を設ける。具体的には、底材１２ａの一方の平面において、中央部からみて放射状に複数の罫線を設ける。そして、包装容器１を構成する側面部１１の下端側に底材１２ａを側面部１１に固定する。具体的には、側面部１１の下端を内方に折り返し、底材１２ａの外縁部である固定部を挟みこみ、シールする。この際、図７の（ｃ）に示すように、底材１２ａの固定部と側面部１１とが重なり合う部分のうち、折り返した位置から所定の高さまでシールし、これより上の部分をシールしないようにしてもよい。本実施形態では、側面部１１の下端から上端側へある距離例えば８ｍｍだけ離れた高さにおいて、底材１２ａを側面部１１に固定する。その際、罫線を設けた面が側面部１１の下端側に位置するように、かつ外縁が側面部１１の内側面と接するように、底材１２ａを側面部１１に固定する。底材１２ａは後に包装容器１の底部１２となるので、底材１２ａの構成は実施形態において説明した底部１２の構成と同じである。
【００２８】
次に、底材１２ａの全体を５０℃〜８０℃に加熱する。例えば、底材１２ａに熱風をあてることにより底材１２ａの全体を５０℃〜８０℃に加熱する。そして、底材１２ａと製造用受け具２の底部２２とが対向するように、底材１２ａが固定された側面部１１を製造用受け具２の内部に収める。例えば、製造用受け具２の側面部２１の内径が９７ｍｍであって、包装容器１を構成する側面部１１の外径が９５ｍｍである場合、側面部２１と側面部１１との間には１ｍｍの空間が生じる。底材１２ａが固定された側面部１１を製造用受け具２の内部に収めた後、製造用受け具２の上方の開口を蓋２３により覆う。その際、蓋２３に設けられている孔２３ａを側面部２１の中心軸上に配置する。
【００２９】
次に、製造用受け具２の側面部２１の軸方向において、蓋２３に設けられている孔２３ａから製造用受け具２の内部に空気を吹き込む。実際には、孔２３ａから、側面部１１と底材１２ａと蓋２３とで構成される空間に空気を吹き込む。例えば、孔２３ａからその空間に１ＭＰａ以上１０ＭＰａの圧力で０．０２秒以上１０秒以下の時間空気を吹き込む。
【００３０】
空気を吹き込む直前に底材１２ａの全体の温度が５０℃〜８０℃の高温になっているので、底材１２ａは軟化していて変形しやすくなっている。その状態で空気を製造用受け具２の内部に吹き込みことにより、製造用受け具２の内部に収められた底材１２ａは、その中央部が製造用受け具２の底部２２の側に膨らむ。例えば、上述の通り１ＭＰａ以上１０ＭＰａ以下の圧力で０．０２秒以上１０秒以下の時間空気を吹き込むと、底材１２ａの中央部は底部２２の側に５ｍｍ膨らむ。底材１２ａが膨らむことにより、底材１２ａは図１及び図２の（ｂ）に示す底部１２となる。包装容器１の底部１２を形成すると、蓋２３を取り外し、底部１２が下端側で固定されている側面部１１を製造用受け具２の内部から外部に取り出す。これにより、図１に示す側面部１１と底部１２とを有する包装容器１の一部を形成することができる。
【００３１】
上述の通り、外面に罫線が設けられた底材１２ａを筒形状の側面部１１の下端側に固定し、側面部１１の上端をその中心を除いて蓋２３で覆い、蓋２３で覆った側面部１１の上端の外部から内部に空気を吹き込む。これにより、罫線が設けられた底部１２と、底部１２が固定された側面部１１とを有する包装容器１の一部を製造することができる。製造された包装容器１においては、上述のように、底部１２の皺が発生せず、また、包装容器１の内圧が外圧に対して相対的に下がっても、外観が目立ちやすい側面部１１が凹むことがないため、包装容器１全体の意匠性を損なわないようにすることができる。
【００３２】
なお、上述の説明では、製造用受け具２に空気を吹き込む前に底材１２ａを加熱する例を説明した。しかしながら、底材１２ａが高い可撓性を有していれば、底材１２ａを加熱する必要はない。加熱するか否かは、底材１２ａの可撓性と吹き込む空気の圧力及び量等に応じて適宜試験を行って決定すればよい。加熱する場合の温度も、適宜試験を行って決定すればよい。
【００３３】
また、上述の説明では、製造用受け具２に空気を吹き込む際、製造用受け具２の側面部２１の軸方向において、蓋２３に設けられている孔２３ａから製造用受け具２の内部に空気を吹き込む例を説明した。しかしながら、製造用受け具２の側面部２１の軸方向において空気を吹き込むとは限定されない。例えば、側面部２１の軸とある角度をなす方向において、空気を吹き込んでもよい。要するに、外面に罫線が設けられた底材１２ａを筒形状の側面部１１の下端側に固定し、側面部１１の上端を孔が設けられた蓋で覆い、蓋に設けられた孔から、底材１２ａ、側面部１１及び蓋で構成される空間に空気を吹き込めばよい。空気を吹き込むことにより、底材１２ａが膨らみ、包装容器１の底部が形成される。
【００３４】
また、上述の説明では、製造用受け具２に空気を吹き込む際、１ＭＰａ以上１０ＭＰａ以下の圧力で０．０２秒以上１０秒以下の時間空気を吹き込む例を説明した。しかしながら、吹き込む空気の圧力及び吹き込み時間は上述の条件に限定されない。吹き込む空気の圧力及び吹き込み時間は、底材１２ａの可撓性及び底材１２ａの加熱状況等に応じて適宜試験を行って決定すればよい。
【００３５】
また、上述の説明では、製造用受け具２の内部に空気を吹き込む際、後に包装容器１の底部１２となる底材１２ａの全体を５０℃〜８０℃に加熱する例を説明した。しかしながら、底材１２ａの一部、例えば底材１２ａの平面の３０％以上の面積を５０℃〜８０℃に加熱してもよい。その場合であっても、底材１２ａは軟化していて変形しやすくなっている。そのため、その状態で空気を製造用受け具２の内部に吹き込むことにより、製造用受け具２の内部に収められた底材１２ａは、その中央部が製造用受け具２の底部２２の側に膨らむ。
【００３６】
また、上述の説明では、円形状の底部１２とそれに対応する筒形状の側面部１１とを有する包装容器１の製造方法の例を説明した。しかし、本製造方法は、円形状以外の形状の底部１２を有する包装容器の製造にも適用することができる。
【００３７】
また、上述の説明では、空気を吹き込むことにより、底材１２ａの中央部を膨らませて包装容器１の一部を構成する底部１２を形成する例を説明した。しかしながら、雄型及び雌型を用いて底材１２ａの中央部を膨らませることにより、底部１２を形成してもよい。
【００３８】
底部１２の膨らみを形成する工程は、他の工程に引き続き連続して実施してもよい。しかし、包装容器１の封止時に底部１２の膨らみが確実に維持されるようにするため、包装容器１に内容物を充填する直前に、底部１２の膨らみを形成してもよい。あるいは、底部１２の膨らみを形成する工程を他の工程に引き続き連続して実施し、さらに、内容物を充填する直前に、底部１２を包装容器１の外側から吸引すること等により、輸送時等に膨らみが凹んだ場合であっても、膨らみが復元されるようにしてもよい。
【実施例】
【００３９】
以下に、本発明を具体的に実施した実施例について説明する。
（実施例１）
包装容器１の底部１２に関し、罫線が設けられていない場合と、図３〜図６に示す罫線が設けられている場合とについて、包装容器１の内部の気圧が外部の気圧より相対的に低下して底部が凹んだ場合、底部の外縁近傍に皺が生じるか否かを判定した。判定結果は下記の表１の「外観不良皺」の通りである。その欄において、皺が生じなかった場合に「○」を記載しており、皺が生じた場合に「×」を記載している。なお、表１には、底部１２の中央部の外縁に対する膨らみの量を「膨出深さ」として示している。また、底部１２の膨らみは、上述した製造方法を用い、１ＭＰａで０．２秒間空気を吹き込むことにより形成した。
【００４０】
【表１】
0006031773.tif 000002
【００４１】
表１に示す通り、罫線が設けられていない底部では、底部の外縁近傍に皺が生じた。それに対し、図３〜図６に示す罫線が設けられている底部では、底部の外縁近傍に皺は生じなかった。このように、底部１２の外面部に罫線が設けられていれば、包装容器１の内部の気圧が外部の気圧より相対的に低下して底部１２が凹んでも、底部１２の外縁近傍には意匠性を損なう皺は生じないことがわかった。
【００４２】
（実施例２）
本製造方法に関し、底材１２ａの中央部に空気を吹き付けて中央部に３ｍｍの膨らみを持つ底部１２を形成する際における、吹き込む空気の圧力と吹き込み時間との関係を判定した。判定結果は図１２の通りである。図１２に示す通り、１ＭＰａ以上１０ＭＰａ以下の圧力で０．０２秒以上１０秒以下の時間空気を吹き込むことにより、中央部に３ｍｍの膨らみを持つ底部１２を形成することができることがわかった。
【００４３】
上述の製造方法においては、図２の（ｂ）及び図７の（ｂ）、（ｃ）に示すように、底部１２を包装容器の外側に予め膨らみを形成しておく場合について説明した。図２の（ａ）及び図７の（ａ）に示すように底部１２に予め膨らみを形成しない場合は、上述した底材１２ａの全体を加熱する工程及び底材１２ａの中央部を膨らませる工程を省略すればよい。
【産業上の利用可能性】
【００４４】
本発明は、粉体（粒状）物等の内容物を密封包装するための包装容器に利用できる。
【符号の説明】
【００４５】
１    包装容器
１１    側面部
１２    底部
１１１    ポリエチレン層
１１２    蒸着フィルム
１１３    ポリエチレンテレフタレート層
１１４    紙
１１５    ポリエチレン層
１２１    ポリエチレン層
１２２    蒸着フィルム
１２３    気体遮断性機能樹脂層
１２４    ポリエチレン層
１２５    紙
１２６    ポリエチレン層
１３０    未シール部
１２０１、１２０２    罫線
２    製造用受け具
２１    側面部
２２    底部
２３    蓋
２３ａ    孔
１２ａ    底材
１０００    底部
１００１    皺
【図１】
0006031773.tif 000003
【図２】
0006031773.tif 000004
【図３】
0006031773.tif 000005
【図４】
0006031773.tif 000006
【図５】
0006031773.tif 000007
【図６】
0006031773.tif 000008
【図７】
0006031773.tif 000009
【図８】
0006031773.tif 000010
【図９】
0006031773.tif 000011
【図１０】
0006031773.tif 000012
【図１１】
0006031773.tif 000013
【図１２】
0006031773.tif 000014